(57)【要約】  オゾン発生器は、紫外線源と、紫外線源の周囲に空間を形成するハウジングとを有している。ハウジングは、酸素含有ガスが紫外線に曝されるオゾン発生領域内に酸素を含むガスを導くように構成されている。ハウジングは、さらに、任意のガスまたは流体が実質的に滞留する非反応領域を少なくとも部分的に形成し、紫外線源は、非反応領域を通じて紫外線を出射する。
2014527503.tif 000002
【特許請求の範囲】
【請求項１】
紫外線源（１０）と、該紫外線源（１０）の周囲に空間（２１，２２）を形成するハウジング（２０）とを有し、前記ハウジング（２０）が、酸素含有ガスが紫外線に曝されるオゾン発生領域（２１）内に酸素を含むガスまたは流体を導くように構成され、前記ハウジング（２０）が、さらに、任意のガスまたは流体が実質的に滞留する非反応領域（２２）を少なくとも部分的に形成し、前記紫外線源（１０）が、前記非反応領域（２２）を通じて紫外線を出射する、オゾン発生器（１）において、該オゾン発生器（１）が、少なくとも１つの導管（３０）によって、前記紫外線源（１０）の少なくとも一部を越えて酸素を含むガスを導くように構成され、前記少なくとも１つの導管（３０）が、該導管（３０）によって導かれる酸素含有ガスへの紫外線照射を妨げるように構成されていることを特徴とするオゾン発生器。
【請求項２】
酸素含有ガスまたはオゾンが前記非反応領域（２２）を通って流れることを妨げるように、前記非反応領域（２２）を越えて酸素を含むガスを導くように構成されている、請求項１に記載のオゾン発生器。
【請求項３】
互いに対向する入口導管（３０）および出口導管（３０）の対を有し、該入口導管（３０）および出口導管（３０）の対は、酸素含有ガスまたはオゾンが前記非反応領域（２２）を通って流れることを妨げるように、前記非反応領域（２２）を越えて酸素を含むガスを導くように構成されている、請求項１または２に記載のオゾン発生器。
【請求項４】
紫外線に対する透過性を有する１つ以上の導管（３０）であって、前記ハウジング（２０）の紫外線に対する透過性よりも低い透過性を有する１つ以上の導管（３０）を有する、請求項１から３のいずれか１項に記載のオゾン発生器。
【請求項５】
前記紫外線源（１０）の長さに沿って酸素を含むガスを導くように配置された１つ以上の導管（３０）を有する、請求項１から４のいずれか１項に記載のオゾン発生器。
【請求項６】
前記紫外線源（１０）の長さに沿って酸素を含むガスを導くように配置された１つ以上の導管（３０）を有し、該導管（３０）の距離が前記反応領域（２２）を規定する、請求項１から５のいずれか１項に記載のオゾン発生器。
【請求項７】
前記ハウジング（２０）の断面積よりも少なくとも５分の１小さい断面積を有する１つ以上の導管（３０）を有し、該導管（３０）が、前記紫外線源（１０）の端部（２）を越えて酸素を含むガスを導くように配置されている、請求項１から６のいずれか１項に記載のオゾン発生器。
【請求項８】
前記１つ以上の導管（３０）が、酸素を含むガスの発生源と流体連通するように構成された管状部分を有し、入口として機能する、請求項７に記載のオゾン発生器。
【請求項９】
前記１つ以上の導管（３０）が、オゾンを収容する手段と流体連通するように構成された管状部分を有し、出口として機能する、請求項７または８に記載のオゾン発生器。
【請求項１０】
前記１つ以上の導管（３０）が鋼管である、請求項７から９のいずれか１項に記載のオゾン発生器。
【請求項１１】
前記非反応領域（２２）の長さが、全体でオゾン発生領域の長さまたはランプ長（２１）の５％から５０％までの間にある、請求項１から１０のいずれか１項に記載のオゾン発生器。
【請求項１２】
前記オゾン発生器（１）の端部を規定するように配置された、互いに対向する２つの非反応領域（２２）を有する、請求項１から１１に記載のオゾン発生器。
【請求項１３】
前記オゾン発生器（１）の端部を規定するように配置された、互いに対向する２つの非反応領域（２２）を有し、該非反応領域（２２）が、それぞれ前記紫外線源（１０）の５％から４０％までの範囲と重なっている、請求項１から１２にいずれか１項に記載のオゾン発生器。
【発明の詳細な説明】
【技術分野】
【０００１】
本発明は、一般に、酸素含有ガス流に紫外線を照射することによってオゾンを生成するように構成されたタイプのオゾン発生器に関する。オゾンは、バラスト水、プール水、廃水、プロセス水、飲料水などの流体を浄化または殺菌するために用いることができる。
【０００２】
一態様によれば、本発明は、紫外線源と、紫外線源の周囲に空間を形成するハウジングとを有するオゾン発生器に関する。ハウジングは、酸素含有ガスが紫外線に曝されるオゾン発生領域内に酸素を含むガスを導くように構成されている。
【背景技術】
【０００３】
オゾンは、さまざまな形態の浄化に用いられている。オゾンは、強い酸化力を有する酸素の同素体である。オゾン分子（０３）は、３つの酸素原子を含んでいる。オゾンによる細菌およびウイルスの殺菌は、塩素と比べて、はるかに急速に進行する。
【０００４】
オゾンの発生は、紫外線を酸素含有ガスに照射することによるものが一般的に用いられている。発生器は、ほとんどの場合、発生したオゾンのみを水の浄化に用いるように構成されている。別の方法としては、発生器を、紫外線ランプが２つの機能を有する複合システムとして構成することができる。一つの機能は、２００ｎｍ未満の波長の紫外線によってオゾンを発生させる機能であり、別の機能は、波長が２００ｎｍよりも長い紫外線を放射することで直接水を処理する機能である。
【０００５】
紫外放射線とは、３種類の放射線、すなわち、紫外線Ａ（ＵＶＡ）、紫外線Ｂ（ＵＶＢ）、および紫外線Ｃ（ＵＶＣ）を表すものである。
【０００６】
ＵＶＣは、地球上の生物に悪影響を及ぼす可能性があるという点で最も危険な紫外線であり、そのため、浄化目的に使用する場合には最も効果的である。
【０００７】
この目的で使用されるＵＶＣ発生ランプは、温度に敏感である。そのようなランプがハウジング内に設置されている場合、酸素含有ガスがランプの周囲を流れると、ランプの動作温度が影響を受け、ＵＶＣの放射効率が低下するおそれがある。したがって、このようなタイプのオゾン発生器の性能を向上させるためには、上述した問題を解決する必要がある。
【０００８】
米国特許第５２２３１０５号明細書には、紫外線源と、紫外放射線に曝される領域内に酸素含有ガス流を導く手段とを有するオゾン発生器が開示されている。
【０００９】
米国特許第６８２４６９３号明細書には、オゾンを発生させるように構成された紫外線ランプが開示されている。そのランプは、一端に入口を有し、他端に出口を有する容器によって囲まれている。酸素を含む空気の流れは、容器と紫外線ランプとの間に引き起こされる。紫外線ランプの波長の一部は、オゾンの発生に用いられる。紫外線ランプの波長の他の部分は、微生物を死滅させたり、流体を殺菌したりするために用いられる。この文献によれば、発生したオゾンを流体中に放出して、処理すべき流体をさらに浄化することができる。
【００１０】
国際公開第２００６／０２１０２８号には、中空の細長い管状ハウジングと、ハウジング内に配置された少なくとも１つの紫外線ランプとを有するオゾン発生器が開示されている。発生器は、ハウジングの一端に設けられた入口と、ハウジングの反対端に設けられた出口とをさらに有している。発生器は、入口に流入した酸素を含む空気が、ランプからの紫外線に曝されてオゾンに変換され、出口から流出するように構成されている。
【発明の概要】
【発明が解決しようとする課題】
【００１１】
上述した文献には、紫外線源の全長にわたってオゾンの発生と流体の処理とを行うように構成されたオゾン発生器が開示されている。
【００１２】
酸素、および最終的にはオゾンを含むガスが紫外線源に沿って流れることで、オゾン発生器の潜在的な紫外線照射能力が損なわれることがわかっている。本発明の目的は、現在のオゾン発生器のこのような点を解決することである。
【００１３】
今日に至るまで、従来技術においては、単純だが信頼性が高く安価なオゾン発生器は教示されておらず、すなわち、安全かつ確実な方法で、重量および構成の少なくとも一方を増加させることなく、周囲のガスおよび流体の少なくとも一方への紫外線照射を改善することができる優れたオゾン発生器は教示されていない。
【課題を解決するための手段】
【００１４】
本発明によれば、本明細書の導入部に記載されたオゾン発生器であって、ハウジングが、さらに、任意のガスまたは流体が実質的に滞留する非反応領域を少なくとも部分的に形成し、紫外線源が、非反応領域を通じて紫外線を出射する、オゾン発生器が提供される。
【００１５】
一実施態様によれば、オゾン発生器は、少なくとも１つの導管によって、紫外線源の少なくとも一部を越えて酸素を含むガス（gas comprising oxygen）を導くように構成され、少なくとも１つの導管は、その導管によって導かれる酸素含有ガス（gas containing oxygen）への紫外線照射を妨げるように構成されていてよい。このような構成により、非反応領域において、紫外線ランプから出射される紫外線の乱れが抑制される。
【００１６】
一実施態様によれば、オゾン発生器は、酸素含有ガスまたはオゾンが非反応領域を通って流れることを妨げるように、非反応領域を越えて酸素を含むガスを導くように構成されていてよい。
【００１７】
一実施形態によれば、オゾン発生器は、互いに対向する入口導管および出口導管の対を有し、入口導管および出口導管の対は、酸素含有ガスまたはオゾンが非反応領域を通って流れることを妨げるように、非反応領域を越えて酸素を含むガスを導くように構成されていてよい。
【００１８】
一実施形態によれば、オゾン発生器は、紫外線に対する透過性を有する１つ以上の導管であって、ハウジングの紫外線に対する透過性よりも低い透過性を有する１つ以上の導管を有していてよい。
【００１９】
一実施形態によれば、オゾン発生器は、紫外線源の長さに沿って酸素を含むガスを導くように配置された１つ以上の導管を有していてよい。さらに、その導管の距離または長さが反応領域を規定していてよい。
【００２０】
一実施形態によれば、オゾン発生器は、ハウジングの断面積よりも少なくとも５分の１小さい断面積を有する１つ以上の導管を有していてよい。さらに、その導管は、紫外線源の端部を越えて酸素を含むガスを導くように配置されていてよい。
【００２１】
一実施形態によれば、１つ以上の導管は、酸素を含むガスの発生源と流体連通するように構成された管状部分を有し、入口として機能していてよい。
【００２２】
一実施形態によれば、１つ以上の導管は、オゾンを収容する手段と流体連通するように構成された管状部分を有し、出口として機能していてよい。
【００２３】
一実施形態によれば、１つ以上の導管は鋼管であってよい。
【００２４】
一実施形態によれば、非反応領域の長さは、全体でオゾン発生領域または紫外線ランプの長さの５％から５０％までの間であってよい。
【００２５】
一実施形態によれば、オゾン発生器は、オゾン発生器の端部を規定するように配置された、互いに対向する２つの非反応領域を有していてよい。
【００２６】
一実施形態によれば、オゾン発生器は、オゾン発生器の端部を規定するように配置された、互いに対向する２つの非反応領域を有していてよい。さらに、それら非反応領域は、それぞれ紫外線源の５％から４０％までの範囲と重なっていてよい。
【図面の簡単な説明】
【００２７】
【図１】本発明に係るオゾン発生器を示す断面図である。
【図２】図１のオゾン発生器の一部を拡大して示す断面図である。
【図３】図２のＡ−Ａ線に沿った横断端面図である。
【発明を実施するための形態】
【００２８】
図１に示すように、オゾン発生器は、対向する２つの端部２を有する、細長い管状部または管状部材１の形態であってよい。
【００２９】
オゾン発生器は、全図面を通して、円形の断面を有する細長い部材として示されているが、これが本出願に係る発明の限定事項であるとみなすべきではない。オゾン発生器は、同様に、正方形または三角形の断面を有する部材として構成されていてよい。
【００３０】
図２は、図１の円Ｘで示された、オゾン発生器の一方の端部を拡大して示す図である。
【００３１】
図２からわかるように、紫外線を出射する光源１０は、細長い環状空間２１，２２がハウジング２０の内側と紫外線源１０の外側との間に形成されるように、ハウジング２０の内部に格納されている。
【００３２】
上述の環状空間の一部２１では、特に導管３０によって、酸素を含むガスまたは流体の流れが確立されている。以下、その部分２１をオゾン発生領域２１とする。
【００３３】
図１からわかるように、オゾン発生器１の両端部に導管３０が設けられていてよい。その場合、オゾン発生器１の一方の端部の導管が入口を構成し、すなわち、その導管が、酸素を含むガスまたは流体をオゾン発生領域２１に供給する。その導管を有する発生器の端部の反対側には、出口導管が配置されている。出口導管は、オゾン発生領域２１で発生したオゾンを収容する手段（図示せず）と流体連通するように配置されている。オゾン発生領域２１で発生したオゾンを収容する手段は、オゾンによって処理される流体を保持するタンクまたは容器の一部であってもよい。
【００３４】
導管３０は、入口導管および出口導管の対としてそれぞれ示されているが、これが本発明の限定事項であるとみなすべきではない。本発明に係るオゾン発生器は、同様に、入口導管を１つだけ備え、内部に出口導管を備えていなくてもよい。さらに、本発明に係るオゾン発生器は、同様に、例えば４つの入口導管と５つの出口導管となどを備えていてもよい。さらに、導管３０は、図３に示すように、１８０°の間隔で均等配置されているが、導管３０の他の配置によっても、実施可能な本発明の形態を得ることができる。
【００３５】
本出願に係る発明が、オゾンを光学的に発生させる従来のシステムの分野においても適用可能であることは、当業者には理解されるであろう。
【００３６】
本発明によって与えられた特徴および解決手段の応用や組み合わせは、提示した実施形態に限定されるものではない。ある実施形態の１つ以上の特徴を、他の実施形態の１つ以上の特徴と組み合わせることができ、それにより、ここでは記載されていないが有利な効果を奏する、本発明のその他の実施形態を得ることができる。
【００３７】
特許請求の範囲を含む本明細書で使用された「有する／有し／からなる」との用語は、ここで述べられた特徴、整数、ステップ、または構成要素の存在を特定するためのものであるが、１つ以上の他の特徴、整数、ステップ、構成要素、またはそれらの構成要素群の存在または追加を除外するものではない。
【図１】
2014527503.tif 000003
【図２】
2014527503.tif 000004
【図３】
2014527503.tif 000005
【手続補正書】
【提出日】平成26年3月18日(2014.3.18)
【手続補正１】
【補正対象書類名】明細書
【補正対象項目名】全文
【補正方法】変更
【補正の内容】
【発明の詳細な説明】
【技術分野】
【０００１】
本発明は、一般に、酸素含有ガス流に紫外線を照射することによってオゾンを生成するように構成されたタイプのオゾン発生器に関する。オゾンは、バラスト水、プール水、廃水、プロセス水、飲料水などの流体を浄化または殺菌するために用いることができる。
【０００２】
一態様によれば、本発明は、紫外線源と、紫外線源の周囲に空間を形成するハウジングとを有するオゾン発生器に関する。ハウジングは、酸素含有ガスが紫外線に曝されるオゾン発生領域内に酸素を含むガスを導くように構成されている。
【背景技術】
【０００３】
オゾンは、さまざまな形態の浄化に用いられている。
【０００４】
オゾンは、強い酸化力を有する酸素の同素体である。オゾン分子（０３）は、３つの酸素原子を含んでいる。オゾンによる細菌およびウイルスの殺菌は、塩素と比べて、はるかに急速に進行する。
【０００５】
オゾンの発生は、紫外線を酸素含有ガスに照射することによるものが一般的に用いられている。発生器は、ほとんどの場合、発生したオゾンのみを水の浄化に用いるように構成されている。別の方法としては、発生器を、紫外線ランプが２つの機能を有する複合システムとして構成することができる。一つの機能は、２００ｎｍ未満の波長の紫外線によってオゾンを発生させる機能であり、別の機能は、波長が２００ｎｍよりも長い紫外線を放射することで直接水を処理する機能である。
【０００６】
紫外放射線とは、３種類の放射線、すなわち、紫外線Ａ（ＵＶＡ）、紫外線Ｂ（ＵＶＢ）、および紫外線Ｃ（ＵＶＣ）を表すものである。
【０００７】
ＵＶＣは、生物に悪影響を及ぼす可能性があるという点で最も危険な紫外線であり、そのため、微生物を生存不能にさせるという浄化目的に使用する場合には最も効果的でもある。
【０００８】
この目的で使用されるＵＶＣ発生ランプは、温度に敏感である。そのようなランプがハウジング内に設置されている場合、酸素含有ガスがランプの周囲を流れると、ランプの動作温度が影響を受け、ＵＶＣの放射効率が低下するおそれがある。したがって、このようなタイプのオゾン発生器の性能を向上させるためには、上述した問題を解決する必要がある。
【０００９】
米国特許第５２２３１０５号明細書には、紫外線源と、紫外放射線に曝される領域内に酸素含有ガス流を導く手段とを有するオゾン発生器が開示されている。
【００１０】
米国特許第６８２４６９３号明細書には、オゾンを発生させるように構成された紫外線ランプが開示されている。そのランプは、一端に入口を有し、他端に出口を有する容器によって囲まれている。酸素を含む空気の流れは、容器と紫外線ランプとの間に引き起こされる。紫外線ランプの波長の一部は、オゾンの発生に用いられる。紫外線ランプの波長の他の部分は、微生物を死滅させたり、流体を殺菌したりするために用いられる。この文献によれば、発生したオゾンを流体中に放出して、処理すべき流体をさらに浄化することができる。
【００１１】
国際公開第２００６／０２１０２８号には、中空の細長い管状ハウジングと、ハウジング内に配置された少なくとも１つの紫外線ランプとを有するオゾン発生器が開示されている。発生器は、ハウジングの一端に設けられた入口と、ハウジングの反対端に設けられた出口とをさらに有している。発生器は、入口に流入した酸素を含む空気が、ランプからの紫外線に曝されてオゾンに変換され、出口から流出するように構成されている。
【発明の概要】
【発明が解決しようとする課題】
【００１２】
上述した文献には、紫外線源の全長にわたってオゾンの発生と流体の処理とを行うように構成されたオゾン発生器が開示されている。
【００１３】
酸素、および最終的にはオゾンを含むガスが紫外線源に沿って流れることで、オゾン発生器の潜在的な紫外線照射能力が損なわれることがわかっている。本発明の目的は、このような欠点を解決することである。
【００１４】
今日に至るまで、従来技術においては、単純だが信頼性が高く安価なオゾン発生器は教示されておらず、すなわち、安全かつ確実な方法で、重量および構成の少なくとも一方を増加させることなく、周囲のガスおよび流体の少なくとも一方への紫外線照射を改善することができる優れたオゾン発生器は教示されていない。
【課題を解決するための手段】
【００１５】
本発明によれば、本明細書の導入部に記載されたオゾン発生器であって、ハウジングが、さらに、ガスまたは流体が実質的に滞留する非反応領域を少なくとも部分的に形成し、紫外線源が、非反応領域を通じて紫外線を出射する、オゾン発生器が提供される。
【００１６】
一実施態様によれば、オゾン発生器は、少なくとも１つの導管によって、紫外線源の少なくとも一部を越えて酸素を含むガス（gas comprising oxygen）を導くように構成され、少なくとも１つの導管は、その導管によって導かれる酸素含有ガス（gas containing oxygen）への紫外線照射を妨げるように構成されていてよい。このような構成により、非反応領域において、紫外線ランプから出射される紫外線の乱れが抑制される。
【００１７】
一実施態様によれば、オゾン発生器は、酸素含有ガスまたはオゾンが非反応領域を通って流れることを妨げるように、非反応領域を越えて酸素を含むガスを導くように構成されていてよい。
【００１８】
一実施形態によれば、オゾン発生器は、互いに対向する入口導管および出口導管の対を有し、入口導管および出口導管の対は、酸素含有ガスまたはオゾンが非反応領域を通って流れることを妨げるように、非反応領域を越えて酸素を含むガスを導くように構成されていてよい。
【００１９】
一実施形態によれば、オゾン発生器は、紫外線に対する透過性を有する１つ以上の導管であって、ハウジングの紫外線に対する透過性よりも低い透過性を有する１つ以上の導管を有していてよい。
【００２０】
一実施形態によれば、オゾン発生器は、紫外線源の長さに沿って酸素を含むガスを導くように配置された１つ以上の導管を有していてよい。さらに、その導管の距離または長さが反応領域を規定していてよい。
【００２１】
一実施形態によれば、オゾン発生器は、ハウジングの断面積よりも少なくとも５分の１小さい断面積を有する１つ以上の導管を有していてよい。さらに、その導管は、紫外線源の端部を越えて酸素を含むガスを導くように配置されていてよい。
【００２２】
一実施形態によれば、１つ以上の導管は、酸素を含むガスの発生源と流体連通するように構成された管状部分を有し、入口として機能していてよい。
【００２３】
一実施形態によれば、１つ以上の導管は、オゾンを収容する手段と流体連通するように構成された管状部分を有し、出口として機能していてよい。
【００２４】
一実施形態によれば、１つ以上の導管は鋼管であってよい。
【００２５】
一実施形態によれば、非反応領域の長さは、全体でオゾン発生領域または紫外線ランプの長さの５％から５０％までの間であってよい。
【００２６】
一実施形態によれば、オゾン発生器は、オゾン発生器の端部を規定するように配置された、互いに対向する２つの非反応領域を有していてよい。
【００２７】
一実施形態によれば、オゾン発生器は、オゾン発生器の端部を規定するように配置された、互いに対向する２つの非反応領域を有していてよい。さらに、それら非反応領域は、それぞれ紫外線源の５％から４０％までの範囲と重なっていてよい。
【図面の簡単な説明】
【００２８】
【図１】本発明に係るオゾン発生器を示す断面図である。
【図２】図１のオゾン発生器の一部を拡大して示す断面図である。
【図３】図２のＡ−Ａ線に沿った横断端面図である。
【発明を実施するための形態】
【００２９】
図１に示すように、オゾン発生器は、対向する２つの端部２を有する、細長い管状部または管状部材１の形態であってよい。
【００３０】
オゾン発生器は、全図面を通して、円形の断面を有する細長い部材として示されているが、これが本出願に係る発明の限定事項であるとみなすべきではない。オゾン発生器は、同様に、正方形または三角形の断面を有する部材として構成されていてよい。
【００３１】
図２は、図１の円Ｘで示された、オゾン発生器の一方の端部を拡大して示す図である。
【００３２】
図２からわかるように、紫外線を出射する光源１０は、細長い環状空間２１，２２がハウジング２０の内側と紫外線源１０の外側との間に形成されるように、ハウジング２０の内部に格納されている。
【００３３】
上述の環状空間の一部２１では、特に導管３０によって、酸素を含むガスまたは流体の流れが確立されている。以下、その部分２１をオゾン発生領域２１とする。
【００３４】
図１からわかるように、オゾン発生器１の両端部に導管３０が設けられていてよい。その場合、オゾン発生器１の一方の端部の導管が入口を構成し、すなわち、その導管が、酸素を含むガスまたは流体をオゾン発生領域２１に供給する。その導管を有する発生器の端部の反対側には、出口導管が配置されている。出口導管は、オゾン発生領域２１で発生したオゾンを収容する手段（図示せず）と流体連通するように配置されている。オゾン発生領域２１で発生したオゾンを収容する手段は、オゾンによって処理される流体を保持するタンクまたは容器の一部であってもよい。
【００３５】
導管３０は、入口導管および出口導管の対としてそれぞれ示されているが、これが本発明の限定事項であるとみなすべきではない。本発明に係るオゾン発生器は、同様に、入口導管を１つだけ備え、内部に出口導管を備えていなくてもよい。さらに、本発明に係るオゾン発生器は、同様に、例えば４つの入口導管と５つの出口導管となどを備えていてもよい。さらに、導管３０は、図３に示すように、１８０°の間隔で均等配置されているが、導管３０の他の配置によっても、実施可能な本発明の形態を得ることができる。
【００３６】
本出願に係る発明が、オゾンを光学的に発生させる従来のシステムの分野においても適用可能であることは、当業者には理解されるであろう。
【００３７】
本発明によって与えられた特徴および解決手段の応用や組み合わせは、提示した実施形態に限定されるものではない。ある実施形態の１つ以上の特徴を、他の実施形態の１つ以上の特徴と組み合わせることができ、それにより、ここでは記載されていないが有利な効果を奏する、本発明のその他の実施形態を得ることができる。
【００３８】
特許請求の範囲を含む本明細書で使用された「有する／有し／からなる」との用語は、ここで述べられた特徴、整数、ステップ、または構成要素の存在を特定するためのものであるが、１つ以上の他の特徴、整数、ステップ、構成要素、またはそれらの構成要素群の存在または追加を除外するものではない。
【手続補正２】
【補正対象書類名】特許請求の範囲
【補正対象項目名】全文
【補正方法】変更
【補正の内容】
【特許請求の範囲】
【請求項１】
紫外線源（１０）と、
前記紫外線源（１０）の周囲に空間（２１，２２）を形成するハウジング（２０）であって、該ハウジング（２０）が、酸素含有ガスが紫外線に曝されるオゾン発生領域（２１）内に酸素を含むガスまたは流体を導くように構成されているとともに、任意のガスまたは流体が実質的に滞留する、互いに対向する２つの非反応領域（２２）を形成し、前記紫外線源（１０）が、前記非反応領域（２２）を通じて紫外線を出射する、ハウジング（２０）と、を有するオゾン発生器（１）において、
前記オゾン発生器（１）が、互いに対向する２つの前記非反応領域（２２）の位置で、互いに対向する２つの導管（３０）によって、前記紫外線源（１０）の一部を越えて酸素を含むガスを導くように構成され、互いに対向する２つの前記導管（３０）が、少なくとも１つの入口導管（３０）と少なくとも１つの出口導管（３０）とを含むとともに、該導管（３０）によって導かれる酸素含有ガスへの紫外線照射を妨げるように構成され、前記少なくとも１つの入口導管（３０）および前記少なくとも１つの出口導管（３０）は、酸素含有ガスまたはオゾンが前記非反応領域（２２）を通って流れることを妨げるように、前記非反応領域（２２）を越えて酸素を含むガスを導くように構成されていることを特徴とするオゾン発生器。
【請求項２】
紫外線に対する透過性を有する１つ以上の導管（３０）であって、前記ハウジング（２０）の紫外線に対する透過性よりも低い透過性を有する１つ以上の導管（３０）を有する、請求項１に記載のオゾン発生器。
【請求項３】
前記紫外線源（１０）の長さに沿って酸素を含むガスを導くように配置された１つ以上の導管（３０）を有する、請求項１または２に記載のオゾン発生器。
【請求項４】
前記紫外線源（１０）の長さに沿って酸素を含むガスを導くように配置された１つ以上の導管（３０）を有し、該導管（３０）の距離が前記反応領域（２２）を規定する、請求項１から３のいずれか１項に記載のオゾン発生器。
【請求項５】
前記ハウジング（２０）の断面積よりも少なくとも５分の１小さい断面積を有する１つ以上の導管（３０）を有し、該導管（３０）が、前記紫外線源（１０）の端部（２）を越えて酸素を含むガスを導くように配置されている、請求項１から４のいずれか１項に記載のオゾン発生器。
【請求項６】
前記１つ以上の導管（３０）が、酸素を含むガスの発生源と流体連通するように構成された管状部分を有し、入口として機能する、請求項５に記載のオゾン発生器。
【請求項７】
前記１つ以上の導管（３０）が、オゾンを収容する手段と流体連通するように構成された管状部分を有し、出口として機能する、請求項５または６に記載のオゾン発生器。
【請求項８】
前記１つ以上の導管（３０）が鋼管である、請求項５から７のいずれか１項に記載のオゾン発生器。
【請求項９】
前記非反応領域（２２）の長さが、全体でオゾン発生領域の長さまたはランプ長（２１）の５％から５０％までの間にある、請求項１から８のいずれか１項に記載のオゾン発生器。
【請求項１０】
前記オゾン発生器（１）の端部を規定するように配置された、互いに対向する２つの非反応領域（２２）を有する、請求項１から９に記載のオゾン発生器。
【請求項１１】
前記オゾン発生器（１）の端部を規定するように配置された、互いに対向する２つの非反応領域（２２）を有し、該非反応領域（２２）が、それぞれ前記紫外線源（１０）の５％から４０％までの範囲と重なっている、請求項１から１０のいずれか１項に記載のオゾン発生器。
【国際調査報告】
2014527503.tif 000006
2014527503.tif 000007